(57)【要約】      （修正有）【課題】組立が簡単で、かつ、美観に優れた組立式マルチルームを提供する。【解決手段】床面用パネル２０に折り畳み自在に取り付けられた背面用下側パネル３０と、この背面用下側パネル３０に折り畳み自在に取り付けられた背面用上側パネル３５と、この背面用上側パネル３５に折り畳み自在に取り付けられた天井用パネル４０と、背面用下側パネル３０に取り付けられた右側面用下側パネル６０と、背面用下側パネル３０に折り畳み自在に取り付けられた左側面用下側パネル５０と、右側面用下側パネル６０に折り畳み自在に取り付けられた右側面用上側パネル６５と、左側面用下側パネル５０に折り畳み自在に取り付けられた左側面用上側パネル５５と、右側面用下側パネル６０に折り畳み自在に取り付けられると共に、上下方向に折り畳み自在に形成された矩形枠と、この矩形枠に着脱自在に取り付けられ、この矩形枠の開口部を開閉する扉部材１００と備えている。【選択図】図１
0003218501.tif 000002
【実用新案登録請求の範囲】
【請求項１】
複数のパネルから形成された箱状の組立型マルチルームにおいて、
四角形状の床面用パネルと、
この床面用パネルの後縁に、その下縁を折り畳み自在に取り付けられた四角形状の背面用下側パネルと、
この背面用下側パネルの上縁に、その下縁を折り畳み自在に取り付けられた四角形状の背面用上側パネルと、
この背面用上側パネルの上縁に、その後縁を折り畳み自在に取り付けられ、組立後に前記床面用パネルと対向配置される四角形状の天井用パネルと、
前記背面用下側パネルの右側縁に、その後縁を折り畳み自在に取り付けられた四角形状の右側面用下側パネルと、
前記背面用下側パネルの左側縁に、その後縁を折り畳み自在に取り付けられ、組立後に前記右側面用下側パネルと対向配置される四角形状の左側面用下側パネルと、
前記右側面用下側パネルの上縁に、その下底縁を折り畳み自在に取り付けられ四角形状の右側面用上側パネルと、
前記左側面用下側パネルの上縁に、その下底縁を折り畳み自在に取り付けられ、組立後に前記右側面用上側パネルと対向配置される四角形状の左側面用上側パネルと、
前記右側面用下側パネルの前縁、又は、前記左側面用下側パネルの前縁のいずれかに、その一方の側縁を折り畳み自在に取り付けられると共に、上下方向に折り畳み自在に形成された矩形枠と、
この矩形枠に着脱自在に取り付けられ、この矩形枠の開口部を開閉する扉部材と備えている組立型マルチルーム。
【請求項２】
前記床面用パネル、前記背面用下側パネル、前記背面用上側パネルと、前記天井用パネル、前記右側面用下側パネル、及び、前記左側面用下側パネルは、矩形状に形成され、
前記右側面用上側パネル、及び、前記左側面用上側パネルは、後縁の上側が前方に傾いた台形状に形成されている請求項１に記載の組立型マルチルーム。
【請求項３】
前記扉部材は、前記矩形枠に蝶番を介して取り付けられている請求項１に記載の組立型マルチルーム。
【請求項４】
前記天井用パネル又は前記背面用上側パネルに取り付けられた空気流通部とをさらに備えている請求項１に記載の組立型マルチルーム。
【考案の詳細な説明】
【技術分野】
【０００１】
本考案は、簡易型トイレや簡易型納戸等に用いることができる組立型マルチルームに関し、特に収納性、使い勝手、及び、見栄えを向上させることができる技術に関する。
【背景技術】
【０００２】
屋外に設置される仮設トイレを覆う囲いや、家屋内や車両の荷室内に設置されるミニルーム等に使用できる組立型マルチルームが知られている。組立型マルチルームは、用途に応じて寸法が決められ、また組み立てられた状態で箱形が維持できるように強度設計されている。また、組立型マルチルームとして、１回程度の使用で廃棄されるものや、繰り返し使用可能のものまで、様々な種類がある。このような組立型マルチルームは、組立・解体を簡易に行うための構造の提案がなされている。
【０００３】
組立型マルチルームとして、パイプ等で骨組みを形成し、各面にプラスチック板や木板等を取り付けて箱形に組み立てられるものが知られている。このような組立型マルチルームは、見栄えも良く堅牢であるが、部品点数が多く、組立時間を要する。更に、パイプやパネルの組み立てには、工具を必要とし、手間がかかるという問題がある。
【０００４】
このため、段ボールや厚紙等の軽量パネル材を底面・天面、両側面、前面・背面が形成されるように裁断し、箱形に組み立てられるようにした組立型マルチルームが提案されている。このような組立型マルチルームは、収納時は各面の境界部分で折り畳み、使用時に組み立てることで、小部屋が形成される。このような組立型マルチルームでは、使用時に折り畳んである軽量パネル材を拡げ、軽量パネル材の底面部分を地面等の載置面に設置する。その後、その他の部分を組み立てるだけであるため、組立作業は簡単というメリットがある。
【考案の概要】
【考案が解決しようとする課題】
【０００５】
上述した軽量パネル材を用いて組み立てるタイプの組立型マルチルームにあっては、次のような問題があった。すなわち、外観が箱状であるため部屋というイメージがなく、美観的に優れたものではなかった。また、出入口となる前面の軽量パネル材は開閉扉として利用される。開閉扉の下端は底面と同じ高さ位置にあるため、開閉時に載置面に擦れる。このため、開閉扉の開閉がしにくく、また、頻繁に開閉していると損傷しやすい。
【０００６】
そこで、本考案は、組立が簡単で、かつ、美観に優れた組立式マルチルームを提供することを目的とする。
【課題を解決するための手段】
【０００７】
前記課題を解決し目的を達成するために、本考案の組立型マルチルームは次のように構成されている。
【０００８】
複数のパネルから形成された箱状の組立型マルチルームにおいて、四角形状の床面用パネルと、この床面用パネルの後縁に、その下縁を折り畳み自在に取り付けられた四角形状の背面用下側パネルと、この背面用下側パネルの上縁に、その下縁を折り畳み自在に取り付けられた四角形状の背面用上側パネルと、この背面用上側パネルの上縁に、その後縁を折り畳み自在に取り付けられ、組立後に前記床面用パネルと対向配置される四角形状の天井用パネルと、前記背面用下側パネルの右側縁に、その後縁を折り畳み自在に取り付けられた四角形状の右側面用下側パネルと、前記背面用下側パネルの左側縁に、その後縁を折り畳み自在に取り付けられ、組立後に前記右側面用下側パネルと対向配置される四角形状の左側面用下側パネルと、前記右側面用下側パネルの上縁に、その下底縁を折り畳み自在に取り付けられ四角形状の右側面用上側パネルと、前記左側面用下側パネルの上縁に、その下底縁を折り畳み自在に取り付けられ、組立後に前記右側面用上側パネルと対向配置される四角形状の左側面用上側パネルと、前記右側面用下側パネルの前縁、又は、前記左側面用下側パネルの前縁のいずれかに、その一方の側縁を折り畳み自在に取り付けられると共に、上下方向に折り畳み自在に形成された矩形枠と、この矩形枠に着脱自在に取り付けられ、この矩形枠の開口部を開閉する扉部材と備えている。
【考案の効果】
【０００９】
本考案によれば、簡単に組立ができ、しかも美観を向上させることができる。
【図面の簡単な説明】
【００１０】
【図１】本考案の一実施の形態に係る組立型マルチルームの組立後の状態を示す斜視図。
【図２】同組立型マルチルームを展開した状態を示す説明図。
【図３】同組立型マルチルームの収納状態を示す斜視図。
【図４】同組立型マルチルームの展開工程を示す斜視図。
【図５】同組立型マルチルームの展開工程を示す斜視図。
【図６】同組立型マルチルームの展開工程を示す斜視図。
【図７】同組立型マルチルームの展開工程を示す斜視図。
【図８】同組立型マルチルームの展開工程を示す斜視図。
【考案を実施するための形態】
【００１１】
以下、本実施形態について、図面を参照しながら説明する。  
図１は本考案の一実施の形態に係る組立型マルチルーム１０を示す斜視図、図２は組立型マルチルーム１０を展開した状態を示す説明図。である。なお、図中Ｇは地面（載置面）を示している。また、図中矢印は互いに直交する三方向（前後、左右、上下）を示している。以下の説明中における前後、左右、上下は、いずれも組立後における前後、左右、上下と一致させる。
【００１２】
組立型マルチルーム１０は、図２に示すように、段ボール材を裁断して構成された展開パネル１０Ａと、樹脂製の扉部材１００を組み立てて箱状に形成されている。
【００１３】
図１に示すように、組立型マルチルーム１０は、下面を形成する床面用パネル２０と、背面を形成する背面用下側パネル３０及び背面用上側パネル３５と、天面を形成する天井用パネル４０と、左側面を形成する左側面用下側パネル５０及び左側面用上側パネル５５と、右側面を形成する右側面用下側パネル６０及び右側面用上側パネル６５と、前面を形成する枠部材７０及び扉部材１００と備えている。床面用パネル２０と天井用パネル４０は対向配置されている。左側面用下側パネル５０及び左側面用上側パネル５５と、右側面用下側パネル６０及び右側面用上側パネル６５は対向配置されている。
【００１４】
図２に示すように、床面用パネル２０は、矩形状に形成されたパネル本体２１を有している。このパネル本体２１の各辺として、前縁２１ａ、左縁２１ｂ、後縁２１ｃ、右縁２１ｄが形成されている。
【００１５】
背面用下側パネル３０は、矩形状に形成されたパネル本体３１を有している。このパネル本体３１の各辺として、下縁３１ａ、左縁３１ｂ、上縁３１ｃ、右縁３１ｄが形成されている。なお、背面用下側パネル３０の下縁３１ａは上述した床面用パネル２０の後縁２１ｃと同じ位置であり、この位置を境界にして折曲可能に繋がっている。
【００１６】
背面用上側パネル３５は、矩形状に形成されたパネル本体３６を有している。このパネル本体３６の各辺として、下縁３６ａ、左縁３６ｂ、上縁３６ｃ、右縁３６ｄが形成されている。なお、背面用上側パネル３５の下縁３６ａは上述した背面用下側パネル３０の上縁３１ｃと同じ位置であり、この位置を境界にして折曲可能に繋がっている。
【００１７】
背面用上側パネル３５の左縁３６ｂ及び右縁３６ｄには、フック状の面ファスナ３７が取り付けられている。
【００１８】
背面用上側パネル３５には、採光・通風を確保するためのスリット３８が形成されている。
【００１９】
天面を形成する天井用パネル４０は、矩形状に形成されたパネル本体４１を有している。このパネル本体４１の各辺として、後縁４１ａ、左縁４１ｂ、前縁４１ｃ、右縁４１ｄが形成されている。なお、天井用パネル４０の後縁４１ａは上述した背面用上側パネル３５の上縁３６ｃと同じ位置であり、この位置を境界にして折曲可能に繋がっている。
【００２０】
天井用パネル４０の前縁４１ｃには、フック状の面ファスナ４２が取り付けられている。
【００２１】
左側面用下側パネル５０は、矩形状に形成されたパネル本体５１を有している。このパネル本体５１の各辺として、下縁５１ａ、後縁５１ｂ、上縁５１ｃ、前縁５１ｄが形成されている。なお、左側面用下側パネル５０の後縁５１ｂは上述した背面用下側パネル３０の左縁３１ｂと同じ位置であり、この位置を境界にして折曲可能に繋がっている。
【００２２】
左側面用上側パネル５５は、台形状に形成されたパネル本体５６を有している。このパネル本体５６の各辺として、下縁５６ａ、後縁５６ｂ、上縁５６ｃ、前縁５６ｄが形成されている。なお、左側面用上側パネル５５の下縁５６ａは上述した左側面用下側パネル５０の上縁５１ｃと同じ位置であり、この位置を境界にして折曲可能に繋がっている。
【００２３】
左側面用上側パネル５５の後縁５６ｂにはループ状の面ファスナ５７が形成されている。面ファスナ５７は組立時に上述した面ファスナ３７との接合に供される。
【００２４】
右側面用下側パネル６０は、矩形状に形成されたパネル本体６１を有している。このパネル本体６１の各辺として、下縁６１ａ、後縁６１ｂ、上縁６１ｃ、前縁６１ｄが形成されている。なお、右側面用下側パネル６０の後縁６１ｂは上述した背面用下側パネル３０の右縁３１ｄと同じ位置であり、この位置を境界にして折曲可能に繋がっている。
【００２５】
右側面用上側パネル６５は、台形状に形成されたパネル本体６６を有している。このパネル本体６６の各辺として、下縁６６ａ、後縁６６ｂ、上縁６６ｃ、前縁６６ｄが形成されている。なお、右側面用上側パネル６５の下縁６６ａは上述した右側面用下側パネル６０の上縁６１ｃと同じ位置であり、この位置を境界にして折曲可能に繋がっている。
【００２６】
右側面用上側パネル６５の後縁６６ｂにはループ状の面ファスナ６７が形成されている。面ファスナ６７は組立時に上述した面ファスナ３７との接合に供される。
【００２７】
前面を形成する枠部材７０は、矩形状に形成された枠体７１を有している。枠体７１は上下に折り畳めるように折り目７２が形成されている。この枠体７１の各辺として、下縁７１ａ、右縁７１ｂ、上縁７１ｃ、左縁７１ｄが形成されている。また、枠体７１の中央部には開口部７３が形成されている。なお、枠部材７０の右縁７１ｂは上述した右側面用下側パネル６０の前縁６１ｄ、及び、右側面用上側パネル６５の前縁６６ｄと同じ位置であり、この位置を境界にして折曲可能に繋がっている。
【００２８】
枠部材７０の上縁７１ｃには、ループ状の面ファスナ７５が設けられている。面ファスナ７５は上述した面ファスナ４２との接合に供される。
【００２９】
開口部７３の左縁７１ｄ側には留め具７６が設けられている。開口部７３の右縁７１ｂ側には蝶番７７が設けられている。
【００３０】
扉部材１００は、矩形状に形成されたパネル本体１０１を有している。このパネル本体１０１の各辺として、下縁１０１ａ、左縁１０１ｂ、上縁１０１ｃ、右縁１０１ｄが形成されている。パネル本体１０１は開口部７３とほぼ同じ形状・寸法に形成されている。また、扉部材１００の右縁１０１ｄには前述した蝶番７７に差し込まれる回転軸１０２、左縁１０１ｂには係止金具１０３が形成されている。扉部材１００は中央の折り目１０４の位置で二つ折り可能に形成されている。
【００３１】
このように構成された組立型マルチルーム１０は、図２に示すような組立前の収納状態から図３〜図８に示す展開工程を経て組み立てられる。すなわち、図３に示すように、組立型マルチルーム１０は、各パネルを折り畳んだ状態で収納される。なお、展開方法は図示したものに限られない。
【００３２】
次に、設置場所に移載し、図４に示すように折り畳まれた枠部材７０を上方に開く。次に図５に示すように枠部材７０、右側面用下側パネル６０、及び、右側面用上側パネル６５を右側に開く。さらに図６に示すように、右側面用上側パネル６５を上方に開く。
【００３３】
次に、図７に示すように、左側面用下側パネル５０、及び、左側面用上側パネル５５を左側に開く。さらに、図８に示すように、背面用上側パネル３５、及び、天井用パネル４０を上方に開くと共に、床面用パネル２０を下方へ開く。
【００３４】
このようにして、一旦、図２に示すような展開状態とする。そして、図１に示すような箱状に組み立てる。次に、フック状の面ファスナ４２をループ状の面ファスナ７５に留める。また、フック状の面ファスナ３７をループ状の面ファスナ５７及び面ファスナ６７に留める。さらに、フック状の面ファスナ７４をループ状の面ファスナ５３に留める。
【００３５】
次に、枠部材７０に取り付けられた蝶番７７に扉部材１００の回転軸１０２を差し込み、組立型マルチルーム１０を完成する。内部に棚を設置して物置にしたり、ポータブルトイレを置いて簡易トイレとしてもよい。
【００３６】
組立型マルチルーム１０は、折り畳まれた各パネル２０〜６５及び枠部材７０を拡げ、扉部材１００を取り付けるだけで組み立てることができるので、工具を用いることなく、簡単に組立ができる。
【００３７】
また、前面は枠部材７０に扉部材１００をドアのように取り付けているため、単なる箱ではなく、簡易であるけれども部屋のようなイメージを有する外観を形成することができるので、美観を向上させることができる。また、面ファスナ３７、面ファスナ４２、面ファスナ５３、面ファスナ５７、面ファスナ６７、面ファスナ７４、面ファスナ７５はいずれも各縁部の全長にわたって形成されているため、各パネル同士の継ぎ目を隠すことができ、美観を向上させることができる。また、各パネル同士の継ぎ目に生ずる隙間から組立型マルチルーム１０の内部を覗くことを防止でき、プライバシーの保護を図ることができる。
【００３８】
上述したように、本実施の形態に係る組立型マルチルーム１０によれば、簡単に組立ができ、しかも美観を向上させることができる。
【００３９】
上述した組立型マルチルーム１０は、１枚の段ボールを切断し、折り位置を形成したものであるが、複数のパネルを蝶番や可撓性のあるテープ等で折曲可能に連結したものを組み立てるようにしてもよい。また、パネルの素材として段ボールの他、プラスチックやファイバ板、バルサ板等を用いても良い。さらに、スリット等はどのパネルに設けてもよく、この他、電源を確保して照明や換気扇等を取り付けるようにしても良い。
【００４０】
なお、本考案は、上記実施形態に限定されるものではなく、実施段階ではその要旨を逸脱しない範囲で種々に変形することが可能である。また、各実施形態は適宜組み合わせて実施してもよく、その場合組み合わせた効果が得られる。更に、上記実施形態には種々の考案が含まれており、開示される複数の構成要件から選択された組み合わせにより種々の考案が抽出され得る。例えば、実施形態に示される全構成要件からいくつかの構成要件が削除されても、課題が解決でき、効果が得られる場合には、この構成要件が削除された構成が考案として抽出され得る。
【符号の説明】
【００４１】
１０…組立型マルチルーム、１０Ａ…展開パネル、２０…床面用パネル、２１…パネル本体、３０…背面用下側パネル、３１…パネル本体、３５…背面用上側パネル、３６…パネル本体、３７…面ファスナ、４０…天井用パネル、４１…パネル本体、４２…面ファスナ、５０…左側面用下側パネル、５１…パネル本体、５３…面ファスナ、５５…左側面用上側パネル、５６…パネル本体、５７…面ファスナ、６０…右側面用下側パネル、６１…パネル本体、６５…右側面用上側パネル、６６…パネル本体、６７…面ファスナ、７０…枠部材、７１…枠体、７２…折り目、７３…開口部、７４…面ファスナ、７５…面ファスナ、７６…留め具、７７…蝶番、１００…扉部材、１０１…パネル本体、１０２…回転軸、１０３…係止金具。
【図１】
0003218501.tif 000003
【図２】
0003218501.tif 000004
【図３】
0003218501.tif 000005
【図４】
0003218501.tif 000006
【図５】
0003218501.tif 000007
【図６】
0003218501.tif 000008
【図７】
0003218501.tif 000009
【図８】
0003218501.tif 000010